(57)【要約】【課題】本発明の課題は、ユーザが手指以外でも容易にコード巻取りボタンを操作することができる電気掃除機を提供する。【解決手段】本発明の電気掃除機は、車輪ベース部と、この車輪ベース部上に配置される筒状の集塵タンク８と、コードリール１６とを有する掃除機本体２（本体ユニット１０）を備え、掃除機本体２（本体ユニット１０）の上面部１０ｂから側面部１０ｃにわたってコード巻取りボタン４０の押圧面４１ａが形成されていることを特徴とする。コードリールを備える業務用掃除機を想定すると、清掃作業の効率化を図るために、掃除機の操作管や他の清掃用具をユーザが手にしたままで、手指を使わずに掃除機本体２のコード巻取りボタン４０を操作することが望まれる。【選択図】図４
2020093171.tif 000002
【特許請求の範囲】
【請求項１】
車輪ベース部と、この車輪ベース部上に配置される筒状の集塵タンクと、コードリールとを有する掃除機本体を備え、
前記掃除機本体の上面部から側面部にわたってコード巻取りボタンの押圧面が形成されていることを特徴とする電気掃除機。
【発明の詳細な説明】
【技術分野】
【０００１】
本発明は、電気掃除機に関する。
【背景技術】
【０００２】
従来、上方に開口する有底筒体であって側面部にホース接続口を有する集塵タンクと、この集塵タンクの開口側に着脱自在に取り付けられ、吸引力を発生する電動送風機を内蔵する本体ユニットと、を備える電気掃除機が知られている（例えば、特許文献１参照）。
このような集塵タンク式掃除機では、集塵部の容量を比較的大きく確保することができる。そのため、集塵タンク式掃除機は、一度の清掃面積が広いビル清掃などに、いわゆる業務用掃除機として好適に使用されている。
そして、業務用掃除機は、清掃面積が広い場合であっても対応できるように、電源コードの長さが家庭用掃除機よりも長くなっている。また、家庭用掃除機とは異なって業務用掃除機の多くは、電源コードを巻き取るコードリールを備えていない。
そのため、業務用掃除機を使用するにあたっての準備作業や、使用した後の業務用掃除機の撤収作業において、長い電源コードの捌きには煩雑を極める。したがって、業務用掃除機においても、掃除機本体に対する電源コードの引き出し及び引き入れが可能なコードリールを備えるものが望ましい。
【先行技術文献】
【特許文献】
【０００３】
【特許文献１】特開２００２−３３０９０２号公報
【発明の概要】
【発明が解決しようとする課題】
【０００４】
このようなコードリールを備える業務用掃除機を想定すると、清掃作業の効率化を図るために、掃除機の操作管や他の清掃用具をユーザが手にしたままで、手指を使わずに掃除機本体のコード巻取りボタンを操作したい状況も生じ得る。
しかし、従来の電気掃除機は、家庭用掃除機を含めてユーザの手指以外でコード巻取りボタンを操作することを想定した構成とはなっていない。
【０００５】
そこで、本発明の課題は、ユーザが手指以外でも容易にコード巻取りボタンを操作することができる電気掃除機を提供することにある。
【課題を解決するための手段】
【０００６】
前記課題を解決した本発明の電気掃除機は、車輪ベース部と、この車輪ベース部上に配置される筒状の集塵タンクと、コードリールとを有する掃除機本体を備え、前記掃除機本体の上面部から側面部にわたってコード巻取りボタンの押圧面が形成されていることを特徴とする。
【発明の効果】
【０００７】
本発明の電気掃除機によれば、ユーザが手指以外でも容易にコード巻取りボタンを操作することができる電気掃除機を提供することができる。
【図面の簡単な説明】
【０００８】
【図１】本発明の実施形態に係る電気掃除機の全体を示す外観斜視図である。
【図２】図１の電気掃除機における掃除機本体の分解斜視図である。
【図３】図２の掃除機本体の上面図である。
【図４】図３のIV−IV断面における掃除機本体の部分断面図である。
【図５】本実施形態でのコード巻取りボタンの斜視図である。
【図６】コード巻取りボタンの押圧面の形状を示すコード巻取りボタンの平面図である。
【図７】図２の掃除機本体を後斜め上方から見下ろした掃除機本体の部分斜視図である。
【図８】図４のVIII−VIII断面を示した掃除機本体の部分斜視図である。
【発明を実施するための形態】
【０００９】
以下、本発明に係る実施形態について適宜図面を参照して説明するが、本実施形態は以下の内容に限定されるものではなく、本発明の範囲内において適宜変更して実施可能である。
本実施形態の電気掃除機は、ユーザが手指以外の例えば肘、膝、足先などでも容易にコード巻取りボタンを操作することができるように、掃除機本体の上面部から側面部にわたってコード巻取りボタンの押圧面が形成されていることを特徴とする。
以下では、電気掃除機の全体構成について説明した後に、前記の特徴点についてさらに詳しく説明する。以下の説明において、電気掃除機の前後左右上下の方向は、図１の電気掃除機１における掃除機本体２の前後左右上下の方向（図１の矢印方向）を基準とする。
【００１０】
＜電気掃除機の全体構成＞
図１は、本実施形態に係る電気掃除機１の全体を示す外観斜視図である。
本実施形態の電気掃除機１は、一般に、集塵タンク式又はペール缶式と称せられるものである。
図１に示すように、電気掃除機１は、掃除機本体２、ホース３、操作管４、延長管５、吸込具６、第１ハンドル３１、第２ハンドル３２、第３ハンドル３３などを備えて構成されている。
【００１１】
ホース３の一端は、掃除機本体２に接続され、他端が操作管４の一端に接続されている。操作管４は、手元操作スイッチなどを備えたグリップ４ａを備えている。延長管５は、外管５ａと内管５ｂとによって伸縮自在に構成されている。
【００１２】
図２は、図１の電気掃除機１における掃除機本体２の部分解斜視図である。
図２に示すように、掃除機本体２は、車輪ベース部７と、集塵タンク８と、フィルタユニット９と、本体ユニット１０とを備えている。
【００１３】
車輪ベース部７は、掃除機本体２の台車部を構成し、集塵タンク８を支持する支持部７ａと、車輪１９と、第３ハンドル３３と、を備えている。
【００１４】
支持部７ａは、集塵タンク８の下部と接続されているとともに、掃除機本体２の接地面に対して転動する車輪１９を有している。
【００１５】
車輪１９は、支持部７ａの後部左右にそれぞれ設けられる大径の後輪１９ａ（図２中、左側の後輪１９ａは図示を省略している）と、支持部７ａの前部左右のそれぞれに設けられる小径の前輪１９ｂと、を有して構成されている。
【００１６】
後輪１９ａは、支持部７ａの後部で左右方向に延びる軸周りに回転可能に支持部７ａに取り付けられている。
前輪１９ｂは、後輪１９ａ対応するように、後輪１９ａのそれぞれの前方に配置されている。また、前輪１９ｂのそれぞれは、上下方向に延在する所定の軸周りに回動可能なキャスタ構造を有しており、掃除機本体２の接地面上での移動の際に掃除機本体２の回頭を容易にしている。
【００１７】
第３ハンドル３３は、支持部７ａの前方で左右方向に延びるように把持部３３ａを有している。この第３ハンドル３３の上方であって、集塵タンク８の外周面の上下方向中程には後記する第２ハンドル３２が設けられている。
【００１８】
集塵タンク８は、上方に開口する有底筒体で形成されている。
本実施形態での集塵タンク８は、金属板に製缶加工を施して形成したものを想定している。この集塵タンク８には、胴部を周回するように補強ビードＢが形成されている。この補強ビードＢは、集塵タンク８の上下方向に所定の間隔を開けて複数段（本実施形態では２段）設けられている。なお、この集塵タンク８は、金属製のものに限定されずに、例えば合成樹脂などの他の材料で形成することもできる。
【００１９】
このような集塵タンク８の内側の空間には、集塵部１８が形成されている。
集塵部１８は、ホース３（図１参照）が接続されるホース接続口２０ａを介して集塵タンク８の外側と連通している。
本実施形態でのホース接続口２０ａは、集塵タンク８の胴部に嵌め込まれた合成樹脂製のブロック体２０に形成されている。つまり、ホース接続口２０ａは、ブロック体２０を貫通するように形成されることで、前記のように集塵タンク８の内外を連通させている。
【００２０】
本実施形態での第２ハンドル３２は、ブロック体２０と一体に成形されている。第２ハンドル３２は、ホース接続口２０ａの上方でブロック体２０から前方斜め上側に向けて延出するように形成されている。
第２ハンドル３２は、第３ハンドル３３の把持部３３ａと対応するように、集塵タンク８の前方で左右方向に延びるように把持部３２ａを有している。
これら第２ハンドル３２及び第３ハンドル３３は、主に集塵タンク８に溜った塵挨を廃
棄する際にユーザが把持するために使用される。
【００２１】
また、集塵タンク８は、胴部の上側寄りで、左右両側にそれぞれクランプ装置１４を備えている。但し、図２中、左側のクランプ装置１４は図示を省略している。
この左右一対のクランプ装置１４は、集塵タンク８の上側の周縁部８ａ上で、フィルタユニット９の周縁部９ａを介して本体ユニット１０の周縁部１０ａを集塵タンク８側に引き寄せて締め付けるように構成されている。
【００２２】
フィルタユニット９は、かご状に形成されたフレーム体９１と、フレーム体９１の上部の周縁で囲まれる内側を残してこのフレーム体９１の外側を覆うように配置されるフィルタ部材９２とを備えている。
【００２３】
本実施形態でのフレーム体９１は、合成樹脂製のものを想定している。フレーム体９１の上部の周縁の上面、外側周面、及び下面は、次に説明するフィルタ部材９２の周縁部を構成する弾性部材９２ａで被覆される。この弾性部材９２ａは、集塵タンク８に本体ユニット１０を組み付けた際にガスケットとして機能する。
【００２４】
フィルタ部材９２は、前記のようにフレーム体９１の外側を覆うように配置されるフィルタ本体９２ｂと、このフィルタ本体９２ｂの上部の周縁と一体になるよう成形される前記の弾性部材９２ａとを備えて構成されている。
【００２５】
本実施形態でのフィルタ本体９２ｂは、例えば不織布、織布、紙などからなり、上方に開口する略袋体で形成されている。
弾性部材９２ａは、環状に形成されるとともに、断面視で略コの字を呈している。さらに具体的には、弾性部材９２ａの略コの字は、環状内側に開いており、この開口からフレーム体９１の上部の周縁が略コの字の内側に嵌り込むようになっている。これによりフィルタ部材９２がフレーム体９１に組み付けられるとともに、フィルタ部材９２の弾性部材９２ａが、前記のようにフレーム体９１の上部の周縁の上面、外側周面、及び下面に配置されることとなる。そして、フィルタユニット９は、集塵タンク８に本体ユニット１０が組み付けられる際に、集塵タンク８内に収容される。
【００２６】
次に、本体ユニット１０について説明する。
図２に示すように、本体ユニット１０は、本体ケース１１と、この本体ケース１１内に収納される後記の電動送風機１５（図４参照）及びコードリール１６（図４参照）と、本体ケース１１の上側に取り付けられる第１ハンドル３１と、を備えている。
【００２７】
本体ケース１１は、大径の上ケース１３と、この上ケース１３の底部から下方に突出する小径の下ケース１２とを備えている。
【００２８】
まず、下ケース１２から説明すると、下ケース１２は、略円筒形状を呈しており、本体ユニット１０と集塵タンク８とが組み付けられた際に、集塵タンク８内に配置される。
この下ケース１２内には、後記するように、電動送風機１５（図４参照）の電動機部１５ｂ（図４参照）が主に収納される。
【００２９】
上ケース１３は、上下方向に厚めの略円盤状を呈しており、上面視で円形の上面部１３ａと、略円盤状の周面を形成する側面部１３ｂとを有している。ちなみに、側面部１３ｂは、後記するように略円盤状の肩部を形成する傾斜部１３ｃを有している。
この上ケース１３内には、後記するように、電動送風機１５（図４参照）の吸引ファン１５ａと、コードリール１６（図４参照）と、図示しない回路基板などの電子部品と、が主に収納されている。
【００３０】
上ケース１３の上面部１３ａには、前記の第１ハンドル３１と、運転状態表示部としての吸引力インジケータ２１と、コード巻取りボタン４０とが配置されている。
また、上ケース１３の側面部１３ｂには、後記する排出口５１（図８参照）などが形成される一体成形部５０（図８参照）が配置されている。この一体成形部５０については後に詳しく説明する。
【００３１】
まず、第１ハンドル３１について説明する。第１ハンドル３１は、図２に示すように、棒状の把持部３１ａと、この把持部３１ａと一体に成形された一対の支持脚部３１ｂとを有している。
把持部３１ａは、上ケース１３の上面部１３ａの上方で前後方向に延びるように配置されている。
また、支持脚部３１ｂは、把持部３１ａの前後方向の各端部と、上ケース１３の上面部１３ａとを接続している。
【００３２】
図３は、本実施形態での掃除機本体２の上面図である。図４は、図３のIV−IV断面における掃除機本体２の部分断面図である。
図３に示すように、把持部３１ａと一対の支持脚部３１ｂとが一体になった第１ハンドル３１は、上ケース１３の上面部１３ａの径方向の全体に渡って前後方向に延びている。
つまり、第１ハンドル３１の延びる方向と、後輪１９ａによって掃除機本体２が直進移動する方向とは一致する。したがって、第１ハンドル３１を把持したユーザは、円滑に掃除機本体２を直進移動させることができる。また、掃除機本体２の直進移動から前輪１９ｂ（図２参照）によって掃除機本体２を回頭させる際にも、ユーザは第１ハンドル３１を把持した手首をひねることで容易に回頭させることができる。
【００３３】
また、このような第１ハンドル３１は、図４に示すように、第１ハンドル３１の略外形を形成する主ハンドル部材３１１と、この主ハンドル部材３１１の下面を覆う被覆部材３１２とで構成されている。
主ハンドル部材３１１は、断面視で逆Ｕ字形の外装部３１１ａと、外装部３１１ａの内側にこの外装部３１１ａと一体に形成される複数のリブ３１１ｂとを有している。ちなみに、このリブ３１１ｂは、第１ハンドル３１の延在方向に沿って延びる複数の（本実施形態では５枚の）平板で形成されている。そして、これらのリブ３１１ｂは、外装部３１１ａの内周面から下方に突出するように形成されている。
【００３４】
被覆部材３１２は、外装部３１１ａの下側に臨むリブ３１１ｂの先端を覆うように配置されている。本実施形態での被覆部材３１２としては、第１ハンドル３１と同じ合成樹脂製のものを想定しているが、ゴム状弾性体を使用することもできる。
ちなみに、ユーザが電気掃除機１を持ち上げる際、又は集塵タンク８に対する本体ユニット１０の取り付け若しくは取り外しの際に、ユーザが把持した第１ハンドル３１には、所定の荷重が掛る。この際、リブ３１１ｂが第１ハンドル３１を補強している。また、被覆部材３１２が、第１ハンドル３１を把持したユーザの手へのリブ３１１ｂの先端の当りを防止して把持感を良好にしている。
【００３５】
図３に示すように、上ケース１３の上面部１３ａには、前記したように、コード巻取りボタン４０と、吸引力インジケータ２１（運転状態表示部）とが配置されている。
コード巻取りボタン４０は、ユーザによって押し下げられることでコードリール１６（図８参照）から引き出されている電源コード１７（図８参照）を再びコードリール１６（図８参照）に巻取らせるためのものである。吸引力インジケータ２１は、集塵タンク８（図２参照）内に捕集されたごみの量やフィルタ部材９２（図２参照）の目詰まりの程度に応じて変化する掃除機本体２の吸引状態（吸引力）を表示するものである。
【００３６】
これらのコード巻取りボタン４０と吸引力インジケータ２１とは、上面部１３ａの外周縁に沿って並ぶように配置されている。具体的には、コード巻取りボタン４０は、掃除機本体２の上面視でホース接続口２０ａを挟んで吸引力インジケータ２１（運転状態表示部）と対称の位置に配置されている。
【００３７】
次に、コード巻取りボタン４０についてさらに詳しく説明する。
図５は、本実施形態でのコード巻取りボタン４０の斜視図である。なお、図５には、コード巻取りボタン４０が嵌め込まれる上ケース１３の外周縁部を仮想線（二点鎖線）で表している。図６は、コード巻取りボタン４０の押圧面４１ａの形状を示すコード巻取りボタン４０の平面図である。なお、図６には、本体ユニット１０（掃除機本体）の上面部１０ｂ及び側面部１０ｃを仮想線（二点鎖線）で表している。
【００３８】
図５に示すように、コード巻取りボタン４０は、頭部４１と、回動軸４２と、作用軸４３とを主に備えて構成されている。
【００３９】
頭部４１の上面には、押圧面４１ａが規定されている。
この頭部４１は、コード巻取りボタン４０が上ケース１３の所定の位置に形成された開口に嵌め込まれて配置された際に、上ケース１３の上面部１３ａ及び側面部１３ｂとともに、本体ユニット１０の外面を形成する。
【００４０】
そして、コード巻取りボタン４０が押圧されていない状態での押圧面４１ａは、次に説明する突出外周縁部４４を除いて、上ケース１３の上面部１３ａ及び側面部１３ｂと略面一になっている。
【００４１】
つまり、図４に示すように、本実施形態でのコード巻取りボタン４０の押圧面４１ａは、本体ユニット１０（掃除機本体）の上面部１０ｂから側面部１０ｃにわたって形成されている。
【００４２】
図６に示すように、本体ユニット１０（掃除機本体）の上面部１０ｂに位置する押圧面４１ａは、コード巻取りボタン４０の平面視で、本体ユニット１０（掃除機本体）の側面部１０ｃ寄りになるほど幅広となる扇状に形成されている。
【００４３】
また、図４に示すように、本実施形態での本体ユニット１０（掃除機本体）の側面部１０ｃは、上面部１０ｂ側から下方に向かうほど外側に向けて徐々に広がるように傾斜する傾斜部１０ｄを有している。この傾斜部１０ｄに対応する位置での押圧面４１ａについても同様に傾斜している。
【００４４】
図５に示すように、コード巻取りボタン４０の頭部４１は、前記のように上ケース１３の上面部１３ａと面一の押圧面４１ａと、上ケース１３の側面部１３ｂと面一の押圧面４１ａとの間に上方に突出する突出外周縁部４４を備えている。この突出外周縁部４４は、コード巻取りボタン４０が押圧されていない状態で、上ケース１３の上面部１３ａよりも上下位置が高くなっている。
【００４５】
回動軸４２は、上ケース１３に配置された際に、上ケース１３の半径方向内側となる頭部４１の端に一対設けられている。この回動軸４２は、上ケース１３側に設けられた軸受け１３ｄ（図４参照）に支承される。ユーザによって押圧面４１ａを押圧されたコード巻取りボタン４０は、頭部４１が回動軸４２周りに下方に回動して移動することで押し下げられる。
【００４６】
作用軸４３は、頭部４１に上端が接続される棒状体で形成されている。
この作用軸４３には、コードリール１６（図４参照）のストッパ１６ａ（図４参照）に当接する当接部４３ａを有している。
【００４７】
当接部４３ａは、ストッパ１６ａ（図４参照）と対向する側が切欠かれて形成されている。この切欠きによって当接部４３ａは、作用軸４３の中程から先端に掛けて徐々に先細りになるようにテーパが形成されている。
【００４８】
図４に示すように、ストッパ１６ａは、巻取り機構（図示省略）によって所定の回転方向に付勢されるコードリール１６を係止している。また、ストッパ１６ａは、コードリール１６に対する係止状態を維持するように、図示しないバネによって作用軸４３の当接部４３ａに向けて付勢されている。
【００４９】
このようなコード巻取りボタン４０では、押圧面４１ａを押圧された頭部４１が回動軸４２周りに下方に回動することで、作用軸４３の当接部４３ａが前記のバネによる付勢力に抗してストッパ１６ａを押圧する。これによりストッパ１６ａは、コードリール１６に対する係止状態を解除する。係止状態を解除されたコードリール１６は、巻取り機構（図示省略）によって所定方向に回転して電源コード１７を巻き取る。
【００５０】
そして、電源コード１７の巻取り途中又は巻取り後にユーザが押圧面４１ａに対する押圧を中止すると、ストッパ１６ａは前記のバネによる付勢力で元の位置に復元する。これによりコードリール１６に対する係止状態は再び維持される。この際、ストッパ１６ａが元の位置に復元することで、コード巻取りボタン４０も押圧前の元の位置に復元する。
【００５１】
次に、本体ケース１１内に収容される電動送風機１５について説明する。
図４に示すように、電動送風機１５は、本体ケース１１の上ケース１３内に収納される吸引ファン１５ａと、主に下ケース１２に収容される電動機部１５ｂとを備えている。
【００５２】
吸引ファン１５ａの中央部には、送風機吸引口１５ｃが形成されており、電動機部１５ｂには、送風機排気口１５ｄが形成されている。
電動機部１５ｂが駆動することで吸引ファン１５ａが回転すると、電動送風機１５は、送風機吸引口１５ｃから空気を吸引する。また、電動送風機１５は、吸引した空気を送風機排気口１５ｄから下ケース１２内に排出する。
【００５３】
このような電動送風機１５が発生させる吸引力は、ホース接続口２０ａ（図２参照）を介して塵挨を含む空気を集塵タンク８内に吸い込む。つまり、塵挨を含む空気は、図１に示す吸込具６、延長管５、操作管４、及びホース３を介して集塵タンク８内に吸い込まれる。
【００５４】
そして、集塵タンク８内に吸い込まれた空気は、フィルタユニット９を通過して図示しない空気流通穴を介して上ケース１３内に流れ込む。この際、フィルタユニット９は、空気に含まれる塵挨を捕集して集塵部１８に溜める。
【００５５】
フィルタユニット９を介して上ケース１３内に流れ込んだ空気は、コードリール１６や、図示しないその他の部材の周囲に形成される流路を介して、前記のように電動送風機１５の送風機吸引口１５ｃに流れ込む。この際、上ケース１３内を流れる空気は、発熱する電源コード１７や、回路基板（図示省略）を冷却する。
【００５６】
前記のように、送風機排気口１５ｄから下ケース１２内に排出された空気は、下ケース１２内で電動機部１５ｂの周囲に形成された流路Ｆ１に流れ込む。そして、この空気は、
流路Ｆ１から一体成形部５０に形成された排出口５１（図７参照）に連通するように上ケース１３内に区画された流路Ｆ２に向かって流れる。
【００５７】
次に、本体ケース１１（上ケース１３）に形成される一体成形部５０について説明する。
図７は、掃除機本体２の後斜め上方から見下ろした掃除機本体２の部分斜視図である。
図７に示すように、一体成形部５０は、上ケース１３の後側の側面部１３ｂに形成されている。言い換えれば、一体成形部５０は、掃除機本体２の空気の吸込口であるホース接続口２０ａ（図２参照）が形成される前側とは反対側の後側に配置されている。
【００５８】
本実施形態での一体成形部５０は、側面部１３ｂの周長の略４分の１程度の長さで、上ケース１３の側面部１３ｂから所定の厚さで上ケース１３の径方向外側に部分的に膨出するように形成された中空の合成樹脂成形体である。ちなみに、本実施形態での一体成形部５０の上下幅は、上ケース１３の傾斜部１３ｃを除いた側面部１３ｂの高さに略合わせて設定されている。
【００５９】
一体成形部５０には、排出口５１と、ブロワ吐出口５２と、電源プラグ１７ａの収容部５３と、が形成されている。また、電源プラグ１７ａの収容部５３には、後記するように電源コード１７（図８参照）の出入れ口５４（図８参照）が形成されている。
【００６０】
本実施形態での排出口５１は、掃除機本体２の後方から見て、一体成形部５０の中央（掃除機本体２の真後ろ）に形成されている。排出口５１は、横方向に延びる複数のスリットで形成されている。
【００６１】
図８は、図４のVIII−VIII断面を示した掃除機本体２の部分斜視図である。
図８に示すように、排出口５１は、前記の送風機排気口１５ｄ（図４参照）から排出されて流路Ｆ２に流れ込んだ空気を排出するようになっている。この際、流路Ｆ２の空気は、排出口５１の内側に配置されたＨＥＰＡフィルタ（High Efficiency Particulate Air Filter）、ＵＬＰＡフィルタ（Ultra Low Penetration Air Filter）などの高性能フィルタ６０を介して排出される。
【００６２】
図７に示すように、ブロワ吐出口５２は、排出口５１よりも掃除機本体２の右側に形成されている。
ブロワ吐出口５２は、送風機排気口１５ｄ（図４参照）から排出される圧縮された空気をブロワとして利用するためのものである。このブロワ吐出口５２には、図示しないバネでブロワ吐出口５２の閉方向に付勢された弁板５２ａが配置されている。
図８に示すように、この弁板５２ａは、軸部５２ｂを中心に回動することでブロワ吐出口５２を開くとともに、排出口５１に通じる流路Ｆ２を閉じるようになっている。
【００６３】
本実施形態でのブロワ吐出口５２には、ホース接続口２０ａ（図２参照）に接続されるホース３（図１参照）の一端が接続できるようになっている。そして、ホース３の一端をホース接続口２０ａに差し入れることで、弁板５２ａが回動して排出口５１に通じる流路Ｆ２の流れをホース３側に切り替えるようになっている。これにより吸込具６（図１参照）を取り外した延長管５（図１参照）の先端から、又は延長管５（図１参照）を取り外した操作管４（図１参照）の先端から吐出する圧縮された空気が吐出される。ブロワは、この空気によって、例えば床面のごみ等を吹き飛ばすために使用される。
【００６４】
図７に示すように、電源プラグ１７ａの収容部５３は、排出口５１よりも、掃除機本体２の左側に形成されている。具体的には、ブロワ吐出口５２と電源プラグ１７ａの収容部５３とは、排出口５１を挟んで対称位置に配置されている。
【００６５】
電源プラグ１７ａの収容部５３は、上ケース１３側に向けて窪む凹部で形成されている。この収容部５３の大きさは、コードリール１６（図８参照）に電源コード１７（図８参照）が巻き取られて電源プラグ１７ａが電源コード１７の出入れ口５４（図８参照）に当接した際に、電源プラグ１７ａの略全体が凹部内に収まるように設定されている。これにより電源コード１７がコードリール１６に巻き取られて収容部５３に配置された電源プラグ１７ａが邪魔にならずに収容部５３に収められる。
【００６６】
また、本実施形態での電源プラグ１７ａの収容部５３と、コード巻取りボタン４０とは、図７中、網掛けで示したように、掃除機本体２における他の部分とは異なった色感になっている。この「異なった色感」とは、掃除機本体２における他の部分とは、際立って明度、彩度に違いが出ているものが望ましい。また、収容部５３とコード巻取りボタン４０とは、同系色に設定されることがさらに望ましく、同じ色に設定されることが最も望ましい。
例えば、掃除機本体２における他の部分が白色、黒色などで統一されている場合には、収容部５３とコード巻取りボタン４０の色は、赤色、青色、黄色、蛍光色などから選択される統一色に設定することができる。
【００６７】
次に、本実施形態に係る電気掃除機１の奏する作用効果について説明する。
本実施形態に係る電気掃除機１では、図４に示すように、本体ユニット１０（掃除機本体）の上面部１０ｂから側面部１０ｃにわたってコード巻取りボタン４０の押圧面４１ａが形成されている。
【００６８】
ところで、上面部１０ｂのみにコード巻取りボタン４０の押圧面４１ａが形成されている電気掃除機を想定すると、押圧面４１ａの面積を大きく確保することができない。また、側面部１０ｃのみにコード巻取りボタン４０の押圧面４１ａが形成されている電気掃除機を想定すると、通常の電気掃除機１の使用態様において、ユーザが掃除機本体２を見下ろす立ち位置では、コード巻取りボタン４０を正確に視認することはできない。また、側面部１０ｃのみに押圧面４１ａが形成されている電気掃除機では、押圧面４１ａの押圧時にユーザは掃除機本体の側面からアクセスする。そのために、掃除機本体が押圧操作に伴って水平方向に移動する場合が想定され得る。したがって、この電気掃除機では、コード巻取りボタン４０を的確に操作できない。
【００６９】
これに対して、本実施形態の電気掃除機１によれば、上面部１０ｂから側面部１０ｃにわたって押圧面４１ａが形成されるので、押圧面４１ａを大きく確保することができる。また、ユーザが掃除機本体２を見下ろす立ち位置でも、コード巻取りボタン４０を正確に視認することができる。
【００７０】
また、本実施形態の電気掃除機１によれば、コード巻取りボタン４０の押圧時における押圧面４１ａに対するユーザのアクセス方向が、コード巻取りボタン４０の上方から側方の間で広く選択され得る。したがって、電気掃除機１によれば、電気掃除機１の使用態様に応じてコード巻取りボタン４０を的確に操作することができる。
【００７１】
よって、この電気掃除機１によれば、ユーザが手指でコード巻取りボタン４０を操作する場合には勿論のこと、ユーザが手指以外の、例えば肘、膝、足先などであっても容易にコード巻取りボタン４０を操作することができる。
【００７２】
また、電気掃除機１は、図４に示すように、コード巻取りボタン４０が回動軸４２周りに回動することで押圧面４１ａが下方に移動する。これにより斜め上方からのコード巻取りボタン４０へのユーザのアクセスがより確実に行われる。つまり、コード巻取りボタン
４０は、所定の軸周りに回動可能なように軸支されることで押圧面４１ａが移動自在になっており、コード巻取りボタン４０を上面部１０ｂからでも側面部１０ｃからでも斜め上方からでも操作できるという作用効果を奏する。
よって、この電気掃除機１によれば、ユーザが手指でコード巻取りボタン４０を操作する場合には勿論のこと、ユーザが手指以外の、例えば肘、膝、足先などであっても、より容易にコード巻取りボタン４０を操作することができる。
【００７３】
また、電気掃除機１は、コード巻取りボタン４０が、図３に示すように掃除機本体２の前側寄りに設けられており、図８に示すように電源コード１７の出入れ口５４が掃除機本体２の後側寄りに設けられている。
【００７４】
ところで電気掃除機１の使用後の撤収時に、ユーザの清掃作業における効率的な移動行程を考慮すると、ユーザは掃除機本体２を電源プラグ１７ａが接続されたコンセントの位置まで移動させる。この際、ユーザは掃除機本体２の後側を進行方向に向けて第１ハンドル３１を把持する。これによりコンセントの位置では、電源コード１７の出入れ口５４とは対向している。
【００７５】
一方、コード巻取りボタン４０は、ユーザと対向するように掃除機本体２の前側に位置している。
したがって、本実施形態の電気掃除機１によれば、ユーザが手指でコード巻取りボタン４０を操作する場合には勿論のこと、ユーザが手指以外の、例えば肘、膝、足先などであっても容易にコード巻取りボタン４０を操作することができる。
【００７６】
また、電気掃除機１は、図３に示すように、本体ユニット１０（掃除機本体）の上面部１０ｂに吸引力インジケータ２１（運転状態表示部）が設けられている。また、吸引力インジケータ２１は、本体ユニット１０（掃除機本体）の上面視で、前側に位置するホース接続口２０ａを挟んでコード巻取りボタン４０と対称の位置に配置されている。
このような電気掃除機１によれば、電気掃除機１の使用時の立ち位置で、吸引力インジケータ２１（運転状態表示部）の視認が容易になる。
【００７７】
また、ホース接続口２０ａを挟んで対称位置に配置されるコード巻取りボタン４０と吸引力インジケータ２１（運転状態表示部）とは、所定の間隔を開けて上ケース１３に配置されることとなる。
このような電気掃除機１によれば、コード巻取りボタン４０と吸引力インジケータ２１（運転状態表示部）とホース接続口２０ａとを結ぶ二等辺三角形をユーザに想起させることができ、均整のとれた印象をユーザに与えることで意匠性が一段と向上する。
【００７８】
また、電気掃除機１は、コード巻取りボタン４０の押圧面４１ａは、本体ユニット１０（掃除機本体）の上面視で側面部１０ｃ寄りになるほど幅広となる扇状に形成されている。したがって、本体ユニット１０（掃除機本体）の上面部１０ｂにおいて、押圧面４１ａの面積をより大きく確保することができる。
よって、この電気掃除機１によれば、ユーザが手指でコード巻取りボタン４０を操作する場合には勿論のこと、ユーザが手指以外の、例えば肘、膝、足先などであっても、より容易にコード巻取りボタン４０を操作することができる。
【００７９】
また、電気掃除機１は、図４に示すように、コード巻取りボタン４０の押圧面４１ａは、本体ユニット１０（掃除機本体）の傾斜部１０ｄと同様に傾斜する傾斜部４１ｄを有している。これにより斜め上方からのコード巻取りボタン４０へのユーザのアクセスがより確実に行われる。
よって、この電気掃除機１によれば、ユーザが手指でコード巻取りボタン４０を操作す
る場合には勿論のこと、ユーザが手指以外の、例えば肘、膝、足先などであっても、より容易にコード巻取りボタンを操作することができる。
【００８０】
また、電気掃除機１は、図７に示すように、コード巻取りボタン４０と電源プラグ１７ａの収容部５３とが、掃除機本体２における他の部分とは異なった色感になっている。
そのため、ユーザには、コード巻取りボタン４０を押圧することで電源プラグ１７が収容部５３されるということを、色分けにて観念付け、あるいは関連付けを促すことができる。
【００８１】
また、電気掃除機１は、上面部１０ｂから側面部１０ｃにわたって押圧面４１ａが形成され、かつ他の部分とは異なった色感になっているので、店頭に陳列した際のサイドビューにおける意匠性を向上させることができる。
【００８２】
以上、本発明の実施形態について説明したが、本発明は前記実施形態に限定されず、種々の形態で実施することができる。
前記実施形態では業務用掃除機に適用されるものについて説明したが、本発明は家庭用掃除機に適用することもできる。
また、前記実施形態では、ブロア吐出口５２を有するものについて説明したが、ブロア吐出口５２の有無に関係なく本発明を適用することができる。
【符号の説明】
【００８３】
１      電気掃除機
２      掃除機本体
３      ホース
４      操作管
５      延長管
６      吸込具
７      車輪ベース部
８      集塵タンク
９      フィルタユニット
１０    本体ユニット
１１    本体ケース
１２    下ケース
１３    上ケース
１３ａ  上面部
１３ｂ  側面部
１３ｃ  傾斜部
１４    クランプ装置
１５    電動送風機
１５ａ  吸引ファン
１５ｂ  電動機部
１６    コードリール
１６ａ  ストッパ
１７    電源コード
１７ａ  電源プラグ
１８    集塵部
１９    車輪
１９ａ  後輪
１９ｂ  前輪
２０    ブロック体
２０ａ  ホース接続口
２１    吸引力インジケータ（運転状態表示部）
３１    第１ハンドル
３２    第２ハンドル
３３    第３ハンドル
４０    コード巻取ボタン
４１ａ  押圧面
５０    一体成形部
５１    排出口
５２    ブロワ吐出口
５３    電源プラグの収容部
５４    電源コードの出入れ口
３１１  主ハンドル部材
３１１ａ  外装部
３１１ｂ  リブ
３１２  被覆部材
【図１】
2020093171.tif 000003
【図２】
2020093171.tif 000004
【図３】
2020093171.tif 000005
【図４】
2020093171.tif 000006
【図５】
2020093171.tif 000007
【図６】
2020093171.tif 000008
【図７】
2020093171.tif 000009
【図８】
2020093171.tif 000010